(57)【要約】      （修正有）【課題】缶蓋をわずかな力で老若男女誰にでも容易にタブを引き起こし開口する事が出来る缶蓋を提供する。【解決手段】まず、タブの操作部を指先で軽く引き起こしそのまま静止する事が出来、それから開口部１１の開口が行なわれるようにし、一つの開口手段を二つの動作に区分けし、開口手段を容易にした。【選択図】図１
2011116450.tif 000002
【特許請求の範囲】
【請求項１】
蓋板（１２）の上面に折り曲げ可能な取付片（２０）を介して取り付けたタブ（２）を、タブ後部の操作部（２１）を軽く引き起こし、取付片（２０）を支点として回動させ、タブ先端部（２２ｂ）と蓋板側基端部（２０ｂ）とで均衡状態となって最大の引き上げ力が集中された取付片（２０）で、蓋板側基端部（２０ｂ）をほぼ垂直に引き起こし、切れ目線（１０）の破断部（１０ｄ）を初期切断し、引き続き開口部（１１）の側面部より切断しつつ缶本体内に折り込み開口を完了する缶蓋において、
タブの操作部（２１）を軽るく引き起こし均衡状態になったとき、引き起こされたタブがそのままの状態で静止出来るよう、蓋板側基端部（２０ｂ）とタブ側基端部（２０ｅ）との間に適度な長さ領域を形成し、かつ、両基端部の段差を傾斜状に形成したことを特徴とする缶蓋。
【請求項２】
蓋板（１２）の開口部（１１）の上面に折り曲げ可能な取付片（２０）を介して取り付けたタブ（２）を、タブ後部の操作部（２１）を軽く引き起こし、取付片（２０）を支点として回動させ、タブ先端部（２２）と蓋板側基端部（２０ｂ）とで均衡状態となって最大の押圧力が集中したタブ先端突出部（２５）で、切れ目線（１０）の破断部（１０ｄ）を初期切断し、続けて操作部（２１）を垂直に引き起こし開口部前部（１１ｂ）を缶本体内に折り込み、次いで操作部（２１）を引き上げ開口部（１１）を全て切断してフルオープンに開口を完了する缶蓋において、
タブ操作部（２１）を軽く引き起こし、開口部前部（１１ｂ）を缶内に折り込み、折り込まれた開口部前部（１１ｂ）を軽く引き上げる事が出来るよう、開口部（１１）と開口部前部（１１ｂ）を仕切る折り曲げ溝（１６）を形成したことを特徴とする缶蓋。
【請求項３】
請求項１に記載の缶蓋において、前記開口部（１１）を形成している切れ目線（１０）の破断部（１０ｄ）に続く最終端部（１０ｎ）を、中心線（Ｎ）の後方近くまで形成したことを特徴とする缶蓋。
【請求項４】
請求項１及び請求項２の何れかに記載の缶蓋において、前記タブ取付片（２０）の終端部子孔（２０ｈ）と一方の終端部子孔（２０ｊ）との中間に、位置決め用の直線凹状溝部（２０ｋ）を形成し、タブ（２）の操作部（２１）を強く引き起こしたとき、前記子孔（２０ｈ）と（２０ｊ）の先端部と、前記凹状溝部（２０ｋ）の後端部と先端部とがそれぞれ折れ線状に結ばれ、強い引き起こし力により終端部子孔（２０ｈ）と（２０ｊ）とが引き裂かれないように、略三角形の補強地帯（２０ｎ）を形成したことを特徴とする缶蓋。
【請求項５】
請求項１乃至請求項４の何れかに記載の缶蓋において、略三角形に形成されている補強地帯（２０ｎ）は、取付片（２０）の終端部子孔（２０ｈ）と子孔（２０ｊ）の先端部、この両先端部がタブ側基端部（２０ｅ）を形成し、前記子孔の先端部とタブの中心線上に形成された位置決め用の凹状又は凸状溝部（２０ｋ）の後端部と先端部とがそれぞれ折れ線状に結ばれ、蓋板側基端部（２０ｂ）と前記凹状又は凸状溝部（２０ｋ）の先端部にかけて傾斜して形成されていることを特徴とする缶蓋。
【請求項６】
請求項１乃至請求項５の何れかに記載の缶蓋において、前記タブ（２）の押圧部（２２）の先端部（２２ｂ）は、適度な角度で上方向に反るように傾斜状に形成したことを特徴とする缶蓋。
【請求項７】
請求項２に記載の缶蓋において、タブ（２）の操作部（２１）を引き上げ、缶本体内から開口部前部（１１ｂ）を引き上げるとき、開口部前部（１１ｂ）のみに引き上げ力が集中すべく、開口部（１１）と小さく限定された面積の開口部前部（１１ｂ）との間を仕切る折り曲げ溝（１６）を形成したことを特徴とする缶蓋。
【発明の詳細な説明】
【技術分野】
【０００１】  本発明は、コーヒー、コーラ、ビール等の飲料缶及び魚介、果実類その他のフルオープン缶の易開封式の缶蓋（イージーオープンエンド）に関するものである。
【背景技術】
【０００２】  従来、コーヒー、コーラ、ビール等の飲料缶や魚介、果実類その他の缶の缶蓋は、タブ機構による易開封な缶蓋として構成されている。【０００３】  飲料缶のイージーオープンエンドは、スティオンタブ方式が殆どで、タブが蓋板に固着されており、この固着部前方からタブ先端の押圧部方向に向けて蓋板に切れ目線により破断部が形成されている。タブ後方の操作部を引き起こすことにより固着部前部とタブ前部の押圧部によって切断される。引き続きタブを垂直に引き起こすことにより切り目線は順次切り裂かれ、開口片は缶本体内に折り込まれて缶が開口され、次いでタブが再度元の位置に折り戻されて開口が完了するものである。【０００４】  一方フルオープン缶のイージーオープンエンドは、巻き締めカール部の内周縁部近くにエンドレス状に切れ目線が刻印されている。この切れ目線の真上にタブの中心線の延長上にある先端部が位置するようにタブが取り付けられており、タブの後方操作部のリング部を引き起こすことにより、タブのタブ固着部を支点としてタブ先端が下方に押し下げられ、タブ先端の真下に設けられたエンドレス状の切れ目線がタブ先端によって切断され、缶本体内に折り込まれる。次いで、垂直に引き起こされたタブのリング部に指を差し入れ、親指を缶のフタにあて引き上げることにより、蓋板上のエンドレス状の切れ目線は順次引き裂かれてフルオープン状に開封されるものである。
【発明の開示】
【発明が解決しようとする課題】
【０００５】  ところで、ステイオンタブ方式及びフルオープ方式の問題点は、開口片を形成する切れ目線を初期切断するためにタブが引き起こされて回動する際、指先を蓋板とタブの操作部下部に差し込むための遊びが無く、丁度蓋板に密着した板バネを引き起こすことに似ており、タブの操作部の下部に指の爪先を入れてタブを引き起こすには、人により、大きな力の負担で、特に幼児、高齢者には開口が出来ないとゆう点にある。本来望まれているバリアフリー、つまり誰でも様々な方法で簡単に指先で開口することが出来るとゆう域に達していないのが現状である。【０００６】  本発明は、このような事情に鑑みなされたものであり、その目的は、タブをより小さな力で老弱男女誰にでも簡単に引き起こすことが出来、且つ、所定の大きさに容易に開口することができるユニバーサルデザインの缶蓋を提供することにある。
【課題を解決するための手段】
【０００７】  上記目的を達成するため、本発明の缶蓋は、次のように構成したものである。
（１）請求項１に記載の発明は、蓋板（１２）の上面に折り曲げ可能な取付片（２０）を介して取り付けたタブ（２）を、タブ後部の操作部（２１）を軽く引き起こし、取付片（２０）を支点とし回動させ、タブ先端部（２２ｂ）と蓋板側基端部（２０ｂ）とで均衡状態となって最大の引き上げ力が集中された取付片（２０）で、蓋板側基端部（２０ｂ）をほぼ垂直に引き起こし、切れ目線（１０）の破断部（１０ｂ）を初期切断し、引き続き開口部（１１）の側面部より切断しつつ缶本体内に折り込み開口を完了する缶蓋（実施形態１）において、
タブの操作部（２１）を軽く引き起こし均衡状態になったとき、引き起こされたタブがそのままの状態で静止出来るよう、蓋板側基部（２０ｂ）とタブ側基端部（２０ｅ）との間に適度な長さ領域を形成し、かつ、両基端部の段差を傾斜状に形成したことを特徴としたものである。
これにより、タブ操作部（２１）を指の爪先で容易に引き起こす事が出来、指先がタブ（２）に十分に掛かるところで静止することができる。【０００８】  （２）請求項２に記載の発明は、蓋板（１２）の開口部（１１）の上面に折り曲げ可能な取付片（２０）を介して取り付けたタブ（２）を、タブ後部の操作部（２１）を軽く引き起こして取付片（２０）を支点として回動させ、タブ先端部（２２）と蓋板側基端部（２０ｂ）とで均衡状態となって最大の押圧力が集中したタブ先端突出部（２５）で、切れ目線（１０）の破断部（１０ｄ）を初期切断し、続けて操作部（２１）を垂直に引き起こし開口部前部（１１ｂ）を缶本体内に折り込み、次いで操作部（２１）を引き上げ開口部（１１）を全て切断してフルオープンに開口を完了する缶蓋（実施形態２）において、
タブ操作部（２１）を軽く引き起こし、開口部前部（１１ｂ）を缶内に折り込み、折り込まれた開口部前部（１１ｂ）を軽く引き上げる事が出来るよう、開口部（１１）と開口部前部（１１ｂ）を仕切る折り曲げ溝（１６）を形成したことを特徴としたものである。【０００９】  また、前記開口部（１１）を形成している切れ目線（１０）の破断部（１０ｄ）に続く最終端部（１０ｎ）を、中心線（Ｎ）の後方近くまで形成することが好ましい（請求項３）。【００１０】また、前記タブ取付片（２０）の終端部子孔（２０ｈ）と一方の終端部子孔（２０ｊ）との間に、位置決め用の直線凹状溝部（２０ｋ）を形成し、タブ（２）の操作部（２１）を強く引き起こしたとき、前記子孔（２０ｈ）と（２０ｊ）の先端部と、前記凹状溝部（２０ｋ）の後端部と先端部とがそれぞれ折れ線状に結ばれ、強い引き起こし力により終端部子孔（２０ｈ）と（２０ｊ）とが引き裂かれないように、略三角形の補強地帯（２０ｎ）を形成することが好ましい（請求項４）。【００１１】  また、略三角形に形成されている補強地帯（２０ｋ）は、取付片（２０）の終端部子孔（２０ｈ）と子孔（２０ｊ）の先端部、この両先端部がタブ側基端部（２０ｅ）を形成し、前記子孔の先端部とタブの中心線上に形成された位置決め用の凹状又は凸状溝部（２０ｋ）の後端部と先端部とがそれぞれ折れ線状に結ばれ、蓋板側基端部（２０ｂ）と前記凹状溝部（２０ｋ）の先端部にかけて傾斜して形成されていることが好ましい（請求項５）。【００１２】  また、前記タブ（２）の押圧部（２２）の先端部（２２ｂ）は、適度な角度で上方向に反るように傾斜状に形成されることが好ましい（請求項６）。【００１３】  また、タブ（２）の操作部（２１）を引き上げ、缶本体内から開口部前部（１１ｂ）を引き上げるとき、開口部前部（１１ｂ）のみに引き上げ力が集中すべく、開口部（１１）と小さく限定された面積の開口部前部（１１ｂ）との間を仕切る折り曲げ溝（１６）を形成されることが好ましい（請求項７）。【００１４】  このように、本発明の缶蓋の開口の特徴として、タブ（２）は破断部（１０ｄ）の初期切断を行なう前にある程度回動するため、破断部（１０ｄ）の初期切断の際にはタブの操作部（２１）は引き起こされ静止した状態になっている。この段階まではタブ（２）を引き起こすための力は軽く、爪先で引き起こすことが出来る。【００１５】  次に、破断部（１０ｄ）の初期切断をする際には、タブ（２）の操作部（２１）は引き起こされて静止した状態であるため、タブ（２）の操作部の下に指先が掛けられるので、破断部（１０ｄ）の初期切断が容易になる。従って小さな力でバリアフリーに缶蓋の開口をすることが出来る。
【発明の効果】
【００１６】  以上説明したように本発明によれば、次のような優れた効果を奏する。
（１）請求項１乃至請求項７記載の発明によれば、蓋板に取り付けたタブは引き起こしが軽くなるよう、蓋板側基端部とタブ側基端部で段差及び長さ領域において遊びを設け、その上、タブ先端部を傾斜させてタブ先端と蓋板との間に隙間を設け、老若男女誰にでもがバリアフリーに簡単にタブの引き起こしを行なう事が出来る。
（２）タブを従来のものに比べ短くすることが出来るため、缶蓋の径を小さくし、より薄板で形成することが出来、コストの削減及び地球温暖化の防止に貢献することが出来る。
（３）蓋板上面に、開口部と開口部前部との間に折り曲げ溝を設けたため、タブを引き上げたとき、小さく限定された面積をもつ開口部前部は折り曲げ溝を介して引き上げ力が集中し、容易に引き裂けられ、誰にでも容易に缶蓋を開口することが出来る。
【発明を実施するための最良の形態】
【００１７】  以下、本発明を実施するための最良の形態を添付図面に基ずいて詳述する。
図１乃至図９に本発明の実施形態１を示す。これは、飲料用の缶蓋へ本発明を適応したその一例である。
図１及び図２において、１は缶蓋を示し、この缶蓋１はコーヒー、コーラ、ビール等の飲料を収容する缶本体３に固着されるものである。缶蓋１は、缶本体３の上部開口部を閉鎖すると共に、切れ目線１０により形成された開口されるべき領域を閉鎖する開口部１１を有する蓋板１２と、その蓋板１２の中央のタブ加締部１４に取り付けた薄板から成るタブ２が取付片２０を介して蓋板１２に取り付けられており、タブ２を引き起こし押圧部２２で開口部１１を押圧して蓋板１２から開口部１１を切断しつつ缶本体内に折り込み、缶の開口をするスティオンタブ方式の缶蓋である。【００１８】＜蓋板１２＞
図１及び図３に示すように、蓋板１２の開口部１１は、蓋板１２の中心をほぼ含むように略０字状に刻印された切れ目線１０により形成されており、この開口部１１の領域内において、缶蓋１２の中心線Ｌ及びＮの中心部には、上記タブ２の取付片２０を蓋板１２に取り付けるタブ加締部１４が形成されている。開口部１１を形成している切れ目線１０の破断部１０ｄに続く最終端部１０ｎを、中心線Ｎの後方近くまで形成し、開口部１１の開口後タブ２を元に戻したときタブ２の先端が蓋板１２の下側にとどまり、飲み口の邪魔にならないように形成されている。【００１９】＜タブ２＞
タブ２は、図６乃至図９に示すように、開口部１１を押圧して蓋板１２から缶本体内に折り込むものである。
図４及び図５にタブ２の構造を示す。タブ２は図４に示すように短形に形成されている。またタブ加締部１４の後方側でタブ２の引き起こしを行なうタブ操作部２１が形成されていると共に、タブ加締部１４より破断部１０ｄを引き上げて切断するための押圧部２２が半円形状に形成されている。【００２０】＜取付片２０＞
取付片２０は、タブ加締部１４によって蓋板上に固定され蓋板側基端部２０ｂが（図２参照）形成され、蓋板側基端部２０ｂから延伸しタブ側基端部２０ｅに略傾斜状に連結され、取付片２０の終端部子孔２０ｈと２０ｊの先端部がタブ側基端部２０ｅを形成している。終端部子孔２０ｈと２０ｊの先端部と位置決め用直線凹状溝部２０ｋの後端部と先端部とがそれぞれ折れ線状（図４参照）に結ばれ、略三角形の補強地帯２０ｎが傾斜して形成されている。【００２１】  操作部２１をわずかな力で引き起こす事が出来、また、均衡状態になった後そのままの状態で静止する事が出来るよう、蓋板側基端部２０ｂとタブ側基端部２０ｅとの間に適度な長さ領域が設けられ、それぞれの基端部との段差（図５参照）を傾斜状に形成され操作部２１を引き起こしてもタブ先端部２２ｂがほとんど後退移動をする事は無い。【００２２】  タブ２の先端部２２ｂは、タブ側基端部２０ｅからタブ先端部２２ｂにかけ、適度な角度で上方向に反るように傾斜状に形成し、先端部２２ｂと蓋板１２との間に隙間（図２参照）が設けられている。【００２３】  次に、上記のように構成された缶蓋の開口動作について説明する。実施形態１。
図６に示すように、タブ２の操作部２１を指先で軽く引き起こし均衡状態となり、そのまま指先を放しても操作部２１は静止した状態のままである。【００２４】  図７に示すように、引き起こされ均衡状態のタブ２の操作部２１を更に引き起こす事により、タブ先端部２２ｂ及びタブ側基端部２０ｅを支点として蓋板側基端部２０ｂが引き上げられ、切れ目線１０の破断部１０ｄが初期切断される。【００２５】  そして、従来のように引き続き開口部１１を押圧し（図８参照）、切れ目線１０の最終端部１０ｎまで切り裂かれ、垂直に引き起こされたタブ２は缶内に沈み込み、次いで、タブ２を元の位置に引き戻したとき、タブ２の先端部２２ｂは缶内に沈み込んだまま（図９参照）の状態で先端部２２ｂが飲み口の邪魔をすることもない。【００２６】  次に、前記タブ２における蓋板側基端部２０ｂとタブ側基端部２０ｅとの関連と略三角形の補強地帯２０ｎ及びタブ先端部２２ｂと蓋板１２との隙間等の特徴を生かし、易開封性を生かした本発明の食料用のフルオープンエンドへの適用した実施形態２を図１０乃至図１７に示す。【００２７】＜蓋板１２＞
図１０及び図１１に示すように、缶蓋の内周縁部近くにエンドレス状の切れ目線１０が刻印されている。この切れ目線１０の破断部１０ｄの真上に、タブの中心線Ｌの延長上に形成された（図１０参照）タブ先端突出部２５（図１３参照）が位置するように加締部１４が形成されている。
また、開口部１１と小さく限定された面積の開口部前部１１ｂとの間を仕切る折り曲げ溝１６が形成されている。【００２８】＜タブ２＞
タブ２は、図１５乃至図１７に示すように、開口部１１を蓋板１２の上面から引き上げてフルオープンに開口するものである。
図１２及び図１３にタブ２の構造を示す。タブ２は、図１２に示すように、タブ先端突出部２５より後方に続くタブ２の引き起こしを行なうリング状の操作部２１が形成されている。【００２９】  押圧部２２の先端部には、図１３に示すように、タブ先端突出部２５が形成されている。【００３０】  押圧部２２の上面（図１２参照）には、略三角形の補強地帯２０ｎが形成され、また、押圧部２２と蓋板１２との間に（図１１参照）に隙間が形成されている。【００３１】  次に、上記のように構成された食料缶の開口動作について説明する。実施形態２。
図１４に示すように、タブ２の操作部２１を指先で軽く均衡状態まで引き起こし、更に操作部２１を引き起こすことにより、蓋板側基端部２０ｂとタブ側基端部２０ｅを支点としてタブ先端突出部２５に押圧力が加わり、切れ目線１０の破断部１０ｄが切断され、引き続き操作部２１を垂直に引き起こすことにより（図１５参照）開口部前部１１ｂは蓋板側基端部２０ｂより缶内に折れ込まれ、次いで、従来のようにリング状の操作部２１を上方向に引き上げ、図１６に示すように、小さな面積の開口部前部１１ｂに引き上げ力が集中し、折り曲げ溝１６（図１６参照）を介して上方向に向かって折れ曲がり、引き続きタブを引き上げることにより（図１７参照）開口部１１の残りの切れ目線１０は全て切り裂かれ完全にフルオープンされる。【００３２】
【００３２】  このように、従来のフルオープン缶の缶蓋との違いは、タブ先端突出部２５と缶蓋１２の上面との間に隙間があるためにタブ２の引き起こしが軽く、且つ、開口部前部１１ｂの引き上げに掛かる力が広い開口部１１に拡散しないよう、折り曲げ溝１６により力の拡散が限定され、僅かな力で折り曲げ溝１６を介し、蓋板の上方向に向け引き裂かれ、誰にでもスムースに開口することが出来る。【００３３】  以上、実施形態を示したが、タブ操作部を爪先等で軽く引き起こすことにより、タブはそのままの状態で静止することが出来るため、全ての人々がタブに十分指先を掛けることができ、容易に開封することができ、缶容器におけるユニバーサルデザインの一部を成し、また、其々タブも小さくし、飲料缶の缶蓋の径も小径に出来、材料コストの削減により地球温暖化の防止にも貢献出来るよう考えられたものである。
【図面の簡単な説明】
【００３４】
【図１】  本発明の実施形態１に係わる飲料缶用の缶蓋を示す平面図である。
【図２】  図１中２−２線矢視断面図である。
【図３】  本発明の実施形態１に係わる飲料缶の缶蓋を示す平面図である。
【図４】  本発明の実施形態１に係わる飲料缶のタブを示す平面図である。
【図５】  図４中５−５線矢視断面図である。
【図６】  タブを引き起こし、均衡状態で静止した状態を示す図２同様の断面図である。
【図７】  更にタブを引き起こし、初期切断した状態を示す断面図である。
【図８】  初期切断後、更に垂直にタブを引き起こし、最終端部より前方を折り込んだ状態を示す断面図である。
【図９】  タブを元に戻した状態を示す図２同様の断面図である。
【図１０】  本発明の実施形態２に係わるフルオープン缶の缶蓋を示す平面図である。
【図１１】  図１０中１１−１１線矢視断面図である。
【図１２】  本発明の実施形態２に係わるフルオープン缶のタブを示す平面図である。
【図１３】  図１２中１３−１３線矢視断面図である。
【図１４】  タブを軽く引き起こし、均衡状態になった状態を示す断面図である。
【図１５】  タブを蓋板に対して垂直に引き起こし、開口部前部を初期切断し、開口部前部が缶内に折り込まれた状態を示す断面図である。
【図１６】  タブを引き上げ、折り曲げ溝を介して開口部前部を引き上げた状態を示す断面図である。
【図１７】  引き続きタブを引き上げ、開口部の残りの切れ目線全部を引き裂いている状態を示す断面図である。
【符号の説明】
【００３５】    １缶蓋
２タブ
３缶本体
１０切れ目線
１０ｄ切れ目線破断部
１０ｎ最終端部
１１開口部
１１ｂ開口部前部
１２蓋板
１４タブ加締部
１６仕切り線折り曲げ溝
２０タブ取付片
２０ａ蓋板側固着部
２０ｂ蓋板側基端部
２０ｅタブ側基端部
２０ｈタブ取付片終端部子孔
２０ｊタブ取付片終端部子孔
２０ｋ位置決め用直線凹状溝部
２０ｎ略三角形補強地帯
２１操作部
２２押圧部
２２ｂタブ先端部
２５タブ先端突出部
Ｌ横中心線
Ｎ縦中心線
【図１】
2011116450.tif 000003
【図２】
2011116450.tif 000004
【図３】
2011116450.tif 000005
【図４】
2011116450.tif 000006
【図５】
2011116450.tif 000007
【図６】
2011116450.tif 000008
【図７】
2011116450.tif 000009
【図８】
2011116450.tif 000010
【図９】
2011116450.tif 000011
【図１０】
2011116450.tif 000012
【図１１】
2011116450.tif 000013
【図１２】
2011116450.tif 000014
【図１３】
2011116450.tif 000015
【図１４】
2011116450.tif 000016
【図１５】
2011116450.tif 000017
【図１６】
2011116450.tif 000018
【図１７】
2011116450.tif 000019